(57)【特許請求の範囲】
【請求項１】
ステントであって、
複数の環状の蛇行帯と、
複数のコネクタコラムとを備え、
各コネクタコラムは、近接する２つの環状の蛇行帯の間に位置して複数のコネクタストラットを備えることと、
各コネクタストラットは、一方の端部において１つの環状の蛇行帯に連結され、他方の端部において別の環状の蛇行帯に連結されて、２個のみの踏み面と少なくとも１個以上３個以下の蹴上げとを有することと、
各踏み面はステントの周方向に延びることと、各蹴上げはステントの長手方向に延びることと、コネクタストラットのこれら踏み面は蹴上げを介して互いに連結されることと、
ステントが圧縮された状態にあるときに、各コネクタストラットは、近接する２個の周方向に延びるコネクタストラットに接触し、さらに、隣り合う２個の周方向に延びるコネクタストラットは、２個の蹴上げと２個の踏み面とにより囲まれたほぼ平行四辺形をなす空間を構成することとを特徴とするステント。
【請求項２】
蹴上げを介して互いに連結される踏み面は、斜状をなす踏み面の幅の４倍未満の空間により互いに離間される請求項１に記載のステント。
【請求項３】
コーティングをさらに備える請求項１に記載のステント。
【請求項４】
コーティングをさらに備える請求項２に記載のステント。
【請求項５】
前記コーティングは薬剤を備える請求項３に記載のステント。
【請求項６】
前記コーティングは薬剤を備える請求項４に記載のステント。
【請求項７】
前記踏み面は、ステントの長手方向に延びる軸線に直交する軸線に対して斜状をなす請求項１に記載のステント。
【請求項８】
前記蹴上げは、ステントの長手方向に延びる軸線に対して斜状をなす請求項１に記載のステント。
【請求項９】
ステントであって、
交互に配置される山部及び谷部を備える複数の環状の蛇行帯と、
複数のコネクタコラムと、各コネクタコラムは、近接する２つの環状の蛇行帯の間に位置して複数のコネクタストラットを備えることと、コネクタコラム内のこれらのコネクタストラットは、１つの環状の蛇行帯の各山部と近接する環状の蛇行帯の対向する谷部との間に、平面視において少なくとも３個の異なるコネクタストラットを有するように配置されることと、
各コネクタストラットは、一方の端部において１つの環状の蛇行帯に連結され、他方の端部において別の環状の蛇行帯に連結されて、２個のみの踏み面と少なくとも１個以上３個以下の蹴上げとを有することと、
各踏み面はステントの周方向に延びることと、各蹴上げはステントの長手方向に延びることと、コネクタストラットのこれら踏み面は蹴上げを介して互いに連結されることと、
ステントが圧縮された状態にあるときに、各コネクタストラットは、近接する２個の周方向に延びるコネクタストラットに接触し、さらに、隣り合う２個の周方向に延びるコネクタストラットは、２個の蹴上げと２個の踏み面とにより囲まれたほぼ平行四辺形をなす空間を構成することとを特徴とするステント。
【請求項１０】
１つの環状の蛇行帯の各山部と近接する環状の蛇行帯の対向する谷部との間に、平面視において３個の異なるコネクタストラットのみを有する請求項９に記載のステント。
【請求項１１】
前記コネクタストラットは階段形状をなす請求項９に記載のステント。
【請求項１２】
各コネクタストラットは蹴上げ部分で段差を有する線状をなす請求項９に記載のステント。
【請求項１３】
コーティングをさらに備える請求項９に記載のステント。
【請求項１４】
コーティングをさらに備える請求項１０に記載のステント。
【請求項１５】
前記コーティングは薬剤を備える請求項１３に記載のステント。
【請求項１６】
前記コーティングは薬剤を備える請求項１４に記載のステント。
【請求項１７】
薬剤を含有するコーティングをさらに備える請求項９に記載のステント。
【請求項１８】
前記踏み面は、ステントの長手方向に延びる軸線に直交する軸線に対して斜状をなす請求項９に記載のステント。
【請求項１９】
前記蹴上げは、ステントの長手方向に延びる軸線に対して斜状をなす請求項９に記載のステント。
【発明の詳細な説明】
【技術分野】
【０００１】
本発明は、医療器具に関し、より詳細にはステントに関する。
【背景技術】
【０００２】
体内管腔においてステントを用いることは、よく知られている。ステントは、通常、非拡張状態において、カテーテル等のステント搬送装置により、体内管腔の所望の場所へ搬送される。ステントが、体内の所望の位置に達すると、バルーンや他の好適な装置により拡張され、又は、保持シースを後退させることにより拡張される。通常、ステントは、そのまま（ベア）の状態で体内へ搬送される。しかしながら、ここ数年の間に、薬剤をコーティングしたステントに対する関心が高まってきている。特に、薬剤を徐々に放出できる多くの薬剤コーティングステントが開発されてきた。これらのステントにより、再狭窄を減少できると考えられている。しかしながら、ステント上に薬剤をコーティングすることは、ステント設計の分野に新たな課題を提起している。従来のベアステントの設計では、異なる構造的特徴が接近してあるために、均一にコーティングすることが難しいとされている。
【０００３】
薬剤をコーティングするように設計された、可撓性を有するステントが求められている。
本願において言及された全ての米国特許、特許出願及び他の刊行物は、その全体が本明細書において開示されたものとする。
【０００４】
本発明の範囲を限定することなく、請求される本発明実施例の要約を以下に記載する。本発明の要約された実施例のさらなる詳細及び／又は本発明のさらなる実施例については、以下の「発明の詳細な説明」に記載される。
【発明の開示】
【発明が解決しようとする課題】
【０００５】
本発明は上記した懸案を鑑みてなされたものである。
【課題を解決するための手段】
【０００６】
一実施例においては、本発明は、複数の環状の蛇行帯と複数のコネクタコラムとを備えるステントに関する。各コネクタコラムは、２つの近接する環状帯の間に位置し、１個以上のコネクタストラットを備える。各コネクタストラットは、一方の端部において１つの環状の蛇行帯に連結され、他方の端部において別の環状の蛇行帯に連結される。各コネクタストラットは、踏み面及び蹴上げ要素をさらに備える。各コネクタストラットは、２個のみの踏み面部分と３個以下の蹴上げ要素を備えることが望ましい。
【０００７】
他の実施例においては、本発明は、交互に配置される山部と谷部とを備える複数の環状の蛇行帯と複数のコネクタコラムとを備えるステントに関する。各コネクタコラムは、２つの近接する環状帯の間に位置し、複数のコネクタストラットを備える。通常、コネクタコラム内のコネクタストラットは、環状の蛇行帯の各山部と、近接する環状の蛇行帯の対向する谷部との間に、少なくとも３個の異なるコネクタストラットを有するように配置される。
さらに他の実施例においては、本発明は、ステントであって、複数の環状の蛇行帯と、複数のコネクタコラムとを備え、各コネクタコラムは、近接する２つの環状の蛇行帯の間に位置して複数のコネクタストラットを備えることと、各コネクタストラットは、一方の端部において１つの環状の蛇行帯に連結され、他方の端部において別の環状の蛇行帯に連結されて、２個のみの踏み面と少なくとも１個以上３個以下の蹴上げとを有することと、各踏み面はステントの周方向に延びることと、各蹴上げはステントの長手方向に延びることと、コネクタストラットのこれら踏み面は蹴上げを介して互いに連結されることと、ステントが圧縮された状態にあるときに、各コネクタストラットは、近接する２個の周方向に延びるコネクタストラットに接触し、さらに、隣り合う２個の周方向に延びるコネクタストラットは、２個の蹴上げと２個の踏み面とにより囲まれたほぼ平行四辺形をなす空間を構成することとを特徴とする。
さらに他の実施例においては、本発明は、ステントであって、交互に配置される山部及び谷部を備える複数の環状の蛇行帯と、複数のコネクタコラムと、各コネクタコラムは、近接する２つの環状の蛇行帯の間に位置して複数のコネクタストラットを備えることと、コネクタコラム内のこれらのコネクタストラットは、１つの環状の蛇行帯の各山部と近接する環状の蛇行帯の対向する谷部との間に、平面視において少なくとも３個の異なるコネクタストラットを有するように配置されることと、各コネクタストラットは、一方の端部において１つの環状の蛇行帯に連結され、他方の端部において別の環状の蛇行帯に連結されて、２個のみの踏み面と少なくとも１個以上３個以下の蹴上げとを有することと、各踏み面はステントの周方向に延びることと、各蹴上げはステントの長手方向に延びることと、コネクタストラットのこれら踏み面は蹴上げを介して互いに連結されることと、ステントが圧縮された状態にあるときに、各コネクタストラットは、近接する２個の周方向に延びるコネクタストラットに接触し、さらに、隣り合う２個の周方向に延びるコネクタストラットは、２個の蹴上げと２個の踏み面とにより囲まれたほぼ平行四辺形をなす空間を構成することとを特徴とする。
【０００８】
以下、本発明のさらなる詳細及び／又は実施例について説明する。
【発明を実施するための最良の形態】
【０００９】
本発明は様々な形態で実施することができるが、本明細書においては、特定の例証的な実施例について詳細に記載する。実施例の記載は、本発明の原理を例示するものであり、本発明を例示された特定の実施例に限定するものではない。
【００１０】
本願においては、特に明示されない限り、図面における同様の符号は同様の特徴を示すものである。
一実施例において、本発明は、図１Ａにおいて符号１００で示されるようなステントに関し、同ステントは第１の自由端部１０４と第２の自由端部１０８とを有し、複数の環状の蛇行帯１１２と複数のコネクタコラム１２０とを備える。各環状の蛇行帯１１２は、複数の交互に配置される山部及び谷部を形成する。各コネクタコラム１２０は、近接する２つの環状の蛇行帯１１２の間に位置し、１個以上のコネクタストラット１２４を備える。各コネクタストラット１２４は、一方の端部１２８において環状の蛇行帯の１つと連結され、他方の端部１３２において別の環状の蛇行帯に連結される。
【００１１】
各コネクタストラット１２４は、１個以上の踏み面１３６と１個以上の蹴上げ１４０とをさらに備える。踏み面１３６は、ステント１００の長手方向に延びる軸線に対して直交し、蹴上げ１４０は、ステント１００の長手方向に延びる軸線に対して平行である。よって、コネクタストラット１２４は、階段形状を形成することを特徴とする。さらに、コネクタストラット１２４は、蹴上げ部分で段差を有する線状をなすことを特徴とする。
【００１２】
任意で、踏み面１３６は、斜状をなしてもよく、即ち、ステント１００の長手方向に延びる軸線に直交する軸線に対する角度がやや緩やかになるように配置されてもよい。同様に、蹴上げ１４０は、ステント１００の長手方向に延びる軸線に対する角度がやや緩やかになるように配置されてもよい。斜状をなす踏み面１３６及び蹴上げ１４０は図１Ａ乃至図３に示される。
【００１３】
図２及び図３において、拡張バルーンやカテーテルの周囲に、非拡張状態で圧接されたステント１００の実施例が示され、蹴上げ１４０は、踏み面１３６が互いに横方向へ離間するように機能する。図示される実施例において、１つの環状の蛇行帯１１２の各山部と近接する環状の蛇行帯１１２の対向する谷部との間には、３個の異なるコネクタストラット１２４がある。よって、各コネクタストラット１２４は、近接する２つの環状のコネクタストラット１２４に接触する。さらに、近接するコネクタストラット１２４は、２個の蹴上げ１４０及び２個の踏み面１３６に囲まれた、ほぼ平行四辺形をなす空間１４２を構成する。この空間により、ステント１００には、その径方向には曲げに対する可撓性が付与されるが、軸方向の圧縮力に対しては構造的な剛性を保持する。
【００１４】
踏み面１３６の横方向の間隔Ｓは、蹴上げ１４０の長さ、及び、蹴上げ１４０と踏み面１３６との間に形成された角度に直接影響を受ける。踏み面１３６の横方向の間隔は、任意の実用的な形態に設定されてもよいが、図２及び図３に示される実施例において使用される非拡張状態における横方向の間隔Ｓは、踏み面１３６の幅Ｗの約４倍である。
【００１５】
蹴上げ１４０及び踏み面１３６の横方向の間隔の他の利点は、本発明のステント１００が薬剤コーティング等のコーティングを施されて使用される時に明確になる。近接する踏み面１３６が、その長さの一部に対して互いに横方向に接触していないため、コーティングは、より均一にステント１００の表面全体に施される。横方向の間隔により、踏み面１３６の側面が、適切にコーティングされる。
【００１６】
また、横方向の間隔により、コーティングが、複数の近接する踏み面１３６を越えて、踏み面１３６の長さに渡って延びる厚膜を形成することを防止する。これは、複数の近接する踏み面１３６を越えて延びる厚膜が、拡張時に踏み面１３６を密着させて、適切な配置や配置後の機能性を妨害することがあるため有益である。
【００１７】
図１Ａ乃至図３は、複数の類似する環状の蛇行帯１１２を有するステント１００の一実施例を示すが、異なる実施例においては、様々な蛇行形態を備えてもよく、例えば、異なる長さからなる蛇行帯、異なる幅を有する蛇行帯、異なる数の山部と谷部とを有する蛇行帯等であってもよい。
【００１８】
同様に、図１Ａ乃至図３に示すステント１００の実施例は、コネクタコラム１２０を備えており、コネクタストラット１２４はコラムからコラムへの配向を逆にする。他の実施例においては、全てのコネクタストラット１２４が同じように配向されるような形状を備えてもよい。さらに、本発明のステント１００により、コネクタストラット１２４の他の異なる形状が使用されてもよい。
【００１９】
本発明のステントの好適な製造方法には、レーザ切断、化学エッチング、又はスタンピングを用いた管材の加工が含まれる。本発明のステントは、レーザ切断、化学的なエッチング、スタンピングを用いて平坦なシートを加工し、このシートを巻いて溶着して製造してもよく、電極放電加工を用いて製造したり、所望の設計にステントを成形加工して製造してもよい。また、ステントは、複数の環状の蛇行帯を組み合わせて、コネクタにより互いに溶着或いは接着剤で接合して製造してもよい。
【００２０】
任意の好適なステント材料を使用して、本発明のステントを製造してもよい。そのような材料の例には、ポリマー材料、金属、セラミック及び複合材料が含まれる。好適なポリマー材料には、サーモトロピック液晶ポリマー（ＬＣＰ）が含まれる。ステントが金属で形成される場合には、形成材料の金属は、ステンレス鋼、エルジロイ等のコバルトクロム合金、タンタル、その他の塑性変形可能な金属であってもよい。他の好適な金属には、一般に「ニチノール」として知られるニッケルチタン合金等の形状記憶金属、プラチナ／タングステン合金、チタン合金が含まれる。また、本発明は、ステントにおいて２種類以上の材料の使用を意図している。例えば、第１の蛇行帯及び第２の蛇行帯は、異なる材料から形成されてもよい。コネクタは、任意で第１及び／又は第２の蛇行帯とは異なる材料で形成されてもよい。
【００２１】
本発明のステントは、バルーン拡張型、自己拡張型、或いは、これらの混合型（ハイブリッド）であってもよい。
バルーン拡張型ステントの場合、バルーンカテーテルを使用して、ステントを体内の所望の位置へ搬送してもよい。次に、バルーンを膨張させてステントを拡張させる。その後、バルーンは収縮させられてカテーテルは抜去される。自己拡張型ステントの場合、ステントは適したカテーテルに担持されて搬送される。通常、そのようなカテーテルは、保持シースを備えており、ステントが配置されるまで所定の位置にステントを保持する。配置されると、シースは回収されてステントは拡張される。
【００２２】
また、本発明は、ステント搬送カテーテル及び本願に開示される任意のステントに関する。ステント搬送カテーテルの詳細は、米国特許第６１２０５２２号明細書及び同第６５０６２０１号明細書に記載されている。
【００２３】
本発明のステントは、好適な放射線不透過性コーティングを含んでいてもよい。例えば、ステントは、金、その他の貴金属でコーティングされていてもよく、また、タンタル、その他の金属でスパッタリングされていてもよい。ステントは、放射線不透過性のコーティングを施すことなく、放射性不透過性材料から直接形成されていてもよく、或いは、放射線不透過性のインナーコアを有する材料で形成されていてもよい。他の使用可能な放射線不透過性金属には、プラチナ、プラチナ−タングステン、パラジウム、プラチナ−イリジウム、ロジウム、タンタル、これら金属の合金又は複合材料を含む。
【００２４】
本発明のステントは、ステントの様々な特性を向上させるために、異なる生体適合性コーティングを施してもよい。例えば、本発明のステントは、潤滑コーティングが施されていてもよい。本発明のステントはまた、時間の経過とともに薬剤を放出する、薬剤を含有したコーティングが施されていてもよい。
【００２５】
本発明のステントは、糖、より一般的には炭水化物及び／又はゼラチンを含み、これらを用いて、ステントを体内の所望の位置に搬送する間、ステントをバルーン上に保持する。ステントの処理に好適な他の化合物には、生分解ポリマーや、体液に溶けるポリマーが含まれる。ステントの内側部分及び／又は外側部分は、化合物でコーティングしたり、化合物を含浸させたりしてもよい。ステント搬送中にステントをバルーン上に保持するために、機械的に保持する器具を使用することも可能である。
【００２６】
本発明の医療器具は、医療器具の様々な特性を向上させるために、異なる生体適合性コーティングを施してもよい。例えば、本発明の医療器具は、潤滑コーティングや他のポリマーコーティングが施されていてもよい。好適なポリマーコーティングの例には、ＰＴＦＥが挙げられる。
【００２７】
本発明のステントは、１種類以上のコーティングを備えてもよく、そのようなコーティングには、１種類以上の治療薬、細胞物質、高分子剤等が含まれる。コーティングは、吹き付けコーティング、浸漬コーティング、或いは当技術分野において周知な他の任意の方法等を含む、数多くの方法によりステントに施されてもよい。
【００２８】
治療薬は、遺伝物質であっても非遺伝物質であってもよい。非遺伝物質からなる治療薬の例としては、抗血栓剤（ヘパリン、ヘパリン誘導体、ウロキナーゼ、ＰＰａｃｋ（デキストロフェニルアラニンプロリンアルギニンクロロメチルケトン）等）；増殖抑制剤（エノキサプリン、アンジオペプチン、平滑筋細胞の増殖を阻害するモノクローナル抗体、ヒルジン、アセチルサリチル酸等）；抗炎症剤（デキサメタゾン、プレドニソロン、コルチコステロン、ブデソニド、エストロゲン、サルファサラジン、メサラミン等）；抗腫瘍剤／増殖抑制剤／抗有糸分裂剤（パクリタキセル、５−フルオロウラシル、シスプラチン、ビンブラスチン、ビンクリスチン、エポシロン類、エンドスタチン、アンジオスタチン、チミジンキナーゼ阻害剤等）；麻酔薬（リドカイン、ブピバカイン、ロピバカイン等）；抗血液凝固剤（Ｄ−Ｐｈｅ−Ｐｒｏ−Ａｒｇクロロメチルケトン、ＲＧＤペプチド含有化合物、ヘパリン、アンチトロンビン化合物、血小板受容体拮抗剤、アンチトロンビン抗体、抗血小板受容体抗体、アスピリン、プロスタグランジン阻害剤、血小板阻害剤、ダニ由来の抗血小板ペプチド等）；血管細胞増殖促進剤（成長因子阻害剤、成長因子受容体拮抗剤、転写活性化因子、翻訳促進因子等）；血管細胞増殖阻害剤（成長因子阻害剤、成長因子受容体拮抗剤、転写抑制剤、翻訳抑制剤、複製阻害剤、阻害抗体、成長因子に対する抗体、成長因子及び細胞毒素で構成される二官能性分子、抗体及び細胞毒素で構成される二官能性分子等）；コレステロール低下薬；血管拡張剤；体内における血管作用機構を阻害する薬剤等がある。
【００２９】
好適な遺伝物質には、アンチセンスＤＮＡ及びＲＮＡ；内因性の欠陥又は欠損を有する分子を置き換えるために、アンチセンスＲＮＡ、ｔＲＮＡ又はｒＲＮＡをコードするＤＮＡ；酸性及び塩基性繊維芽細胞増殖因子や血管内皮増殖因子や上皮増殖因子やトランスフォーミング増殖因子α及びβや血小板由来の内皮増殖因子や血小板由来増殖因子や腫瘍壊死因子αや肝細胞増殖因子やインスリン様増殖因子等の増殖因子を含む血管新生促進因子；細胞分裂阻害剤（ＣＤ  ｉｎｈｉｂｉｔｏｒ）やチミジンキナーゼ（ＴＫ）や細胞増殖を妨げる他の物質等の細胞周期阻害剤；骨形成タンパク質（ＢＭＰ）ファミリー（ＢＭＰ−２、ＢＭＰ−３、ＢＭＰ−４、ＢＭＰ−５、ＢＭＰ−６（Ｖｇｒ−１）、ＢＭＰ−７（ＯＰ−１）、ＢＭＰ−８、ＢＭＰ−９、ＢＭＰ−１０、ＢＭＰ−１１、ＢＭＰ−１２、ＢＭＰ−１３、ＢＭＰ−１４、ＢＭＰ−１５、ＢＭＰ−１６）等が含まれる。望ましいＢＭＰは、ＢＭＰ−２、ＢＭＰ−３、ＢＭＰ−４、ＢＭＰ−５、ＢＭＰ−６、ＢＭＰ−７である。これら二量体のタンパク質は、ホモ二量体、ヘテロ二量体、又はこれらの組み合わせであってもよく、これらと他の分子の組み合わせであってもよい。或いは、又は、加えて、ＢＭＰのアップストリーム効果やダウンストリーム効果を誘導する分子を用いてもよい。これらの分子には、「ヘッジホッグ」タンパク質やこれをエンコードするＤＮＡが含まれる。
【００３０】
好適な細胞は、ヒト由来（自己由来又は同種異系）であってもよく、動物由来（異種）であってもよく、必要に応じて、移殖部位に影響を及ぼすタンパク質を搬送するために、遺伝子操作されたものであってもよい。搬送媒体は、必要に応じ、細胞の機能と生存を維持するように構成することができる。
【００３１】
適切なポリマーコーティング材料には、ポリカルボン酸、セルロースアセテートやニトロセルロース等のセルロース系ポリマー、ゼラチン、ポリビニルピロリドン、架橋ポリビニルピロリドン、無水マレイン酸ポリマー等のポリ無水物、ポリアミド、ポリビニルアルコール、ＥＶＡ等のビニルモノマー共重合体、ポリビニルエーテル、ポリビニル芳香族化合物、ポリエチレンオキシド、グリコサミノグリカン、多糖類、ポリエチレンテレフタレートを含むポリエステル、ポリアクリルアミド、ポリエーテル、ポリエーテルスルホン、ポリカーボネート、ポリプロピレンやポリエチレンや高分子量ポリエチレンを含むポリアルキレン、ポリテトラフルオロエチレン等のハロゲン化ポリアルキレン、ポリウレタン、ポリオルソエステル、タンパク質、ポリペプチド、シリコーン、シロキサンポリマー、ポリ乳酸、ポリグリコール酸、ポリカプロラクトン、ポリヒドロキシブチレートバリレート及びそのブレンドとコポリマー、ポリウレタン分散液（例えばベイドロール（登録商標ＢＡＹＨＤＲＯＬ）等のポリマー分散液からなるコーティング、フィブリン、コラーゲン及びコラーゲン誘導体、セルロースやデンプンやデキストランやアルギン酸塩及びその誘導体等の多糖類、ヒアルロン酸、スクアレンエマルジョン等が含まれる。米国マサチューセッツ州ナティック（Ｎａｔｉｃｋ）に所在するボストンサイエンティフィック社（Ｂｏｓｔｏｎ  Ｓｃｉｅｎｔｉｆｉｃ  Ｃｏｒｐｏｒａｔｉｏｎ）によりハイドロプラス（登録商標ＨＹＤＲＯＰＬＵＳ）として販売され、米国特許第５０９１２０５号明細書に記載されるポリアクリル酸は、特に望ましい。同特許文献に記載された内容は、本願においても開示されたものとする。また、ポリマーは、ポリ乳酸やポリカプロラクトンのコポリマーであってもよい。他の材料には、ＰＧＡ−ＴＭＣ；チロシン由来のポリカーボネート及びアリレート；ポリカプロラクトン  コ  ブチルアクリレート及び他のコポリマー；ポリＬ乳酸とＤＬ乳酸とのブレンド；ポリ（乳酸  コ  グリコール酸）；ポリカプロラクトン  コ  ＰＬＡ；ポリカプロラクトン  コ  ブチルアクリレート及び他のコポリマー；チロシン由来のポリカーボネート及びアリレート；ポリアミノ酸；ポリフォスファゼン；ポリイミノカーボネート；ポリジメチルトリメチルカーボネート；生分解性ＣＡ／ＰＯ４；シアノアクリレート；５０／５０ＰＬＰＬＧ；ポリジオキサノン；ポリプロピレンフマル酸；ポリデプシペプチド等の選択された医療用の生分解性材料が含まれる。
【００３２】
他の好適なコーティングには、キトサンやヒドロキシルプロピルメチルセルロース等の高分子が含まれる。表面侵食材料が使用されてもよい。また、コーティングは、無水マレイン酸コポリマー、亜鉛カルシウム複塩、及びアモルファス無水物を備えてもよい。
【００３３】
本発明のステントは、グラフトの基礎構造としても使用することができる。好適な被覆剤には、ナイロン、コラーゲン、ＰＴＦＥ，ｅＰＴＦＥ、ポリエチレンテレフタレート、ケブラー（登録商標ＫＥＶＬＡＲ）、米国特許第５８２４０４６号明細書、同第５７５５７７０号明細書に開示される任意の材料を含む。より一般的には、ポリエチレン、ポリプロピレン、ポリウレタン、ポリグリコール酸、ポリエステル、ポリアミド、及びこれらの混合物、ブレンド、コポリマー等の合成ポリマーを含む、公知のグラフト材料を使用することができる。
【００３４】
上述された開示事項は、例示的なものであり、包括的なものではない。これらの記載は、当業者に対して、多くの変更例や別例を提案するものである。これらすべての別例及び変更例は請求項の範囲内に含まれるものであり、請求項における「備える（ｃｏｍｐｒｉｓｉｎｇ）」という語は、「含むものであるが、これに限定されるものではない（ｉｎｃｌｕｄｉｎｇ，ｂｕｔ  ｎｏｔ  ｌｉｍｉｔｅｄ  ｔｏ）」ことを意味する。当業者には、本明細書に記載された特定の実施例と均等である他の技術は、本願の請求項に包含されるものであることが理解されるであろう。
【００３５】
以下の特許請求の範囲において述べる特定の実施例に加えて、本発明はまた、以下に述べる従属的な特徴の他の任意の可能な組合せを有する他の実施例にも関する。さらに、従属請求項に記載された特定の特徴は、発明の範囲内において他の方法で互いに組み合わせることができ、本願は、従属請求項に記載された特徴のその他全ての組み合わせによる他の実施例についても、範囲が及ぶものとする。例えば、請求の範囲の公開にあたり、多数従属形式が管轄区域内で許容される場合には、後続するいずれの従属項も、当該従属項において引用された全先行語を有する先行請求項すべてに従属する多数従属形式で択一的に記述されたものと解釈されるべきである（例えば、請求項１に直接従属する請求項はそれぞれ、先行するすべての請求項に従属するものと択一的に解釈されるべきである）。多数項従属形式が制限されている管轄内においては、従属請求項は、既述事項を含む先行請求項に従属する、それぞれが単独に従属する請求項形式で記載されていると代わりに解釈されるべきである。（例えば、請求項３は代わりに請求項１又は請求項２に従属すると解釈でき、請求項１１は代わりに請求項９及び請求項１０に従属すると解釈でき、請求項１２は代わりに請求項９乃至請求項１１に従属すると解釈できるなど。）
【００３６】
当業者にとっては、本願に記載された特定の実施例と均等である他の技術が、特許請求の範囲に包含されるものであると理解されるであろう。
【図面の簡単な説明】
【００３７】
【図１Ａ】本発明のステントの平面パターンを示す。
【図１Ｂ】図１Ａのコネクタストラットを示す拡大図。
【図２】バルーン上に圧接された図１Ａのステントを示す。
【図３】圧接された状態における図１Ａのステントを示す拡大図。
【図１Ａ】
0004485516.tif 000002
【図１Ｂ】
0004485516.tif 000003
【図２】
0004485516.tif 000004
【図３】
0004485516.tif 000005